【手続補正書】
【提出日】平成23年7月1日(2011.7.1)
【手続補正１】
【補正対象書類名】特許請求の範囲
【補正対象項目名】全文
【補正方法】変更
【補正の内容】
【特許請求の範囲】
【請求項１】
ネットワークを介して他のジョブ処理装置と接続可能なジョブ処理装置であって、
自装置及び前記他のジョブ処理装置を使用した第１及び第２ジョブを含む連携ジョブの実行が指示されると、前記自装置で実施する第１ジョブを実行し、実行した前記第１ジョブの履歴情報を作成するジョブ実行手段と、
前記ジョブ実行手段で作成した前記第１ジョブの履歴情報を、当該第１ジョブの履歴情報を識別するための第１識別情報と関連付けてジョブログ記録手段に記録するジョブログ管理手段と、
前記他のジョブ処理装置を使用した前記第２ジョブの実行を、前記ネットワークを介して前記他のジョブ処理装置に指示する指示手段と、
前記他のジョブ処理装置で実行された前記第２ジョブの履歴情報を識別するための第２識別情報を、前記ネットワークを介して受信する受信手段とを有し、
前記ジョブログ管理手段は、前記第１識別情報、前記受信手段で受信した前記第２識別情報、及び前記第１ジョブの履歴情報を関連付けて前記ジョブログ記録手段に記録することを特徴とするジョブ処理装置。
【請求項２】
前記指示手段は、前記第２ジョブの実行の指示の際、前記ネットワークを介して前記他のジョブ処理装置に前記第１識別情報を通知することを特徴とする請求項１に記載のジョブ処理装置。
【請求項３】
前記ジョブログ管理手段は、前記第２識別情報に基づいて、前記第２ジョブの履歴情報に関連した前記第１ジョブの履歴情報を検索することを特徴とする請求項１または２に記載のジョブ処理装置。
【請求項４】
前記第１ジョブの履歴情報と、前記第１ジョブの履歴情報と関連する前記第２ジョブの履歴情報とを１つのジョブ履歴として表示する表示制御手段を更に有することを特徴とする請求項１乃至３のいずれか１項に記載のジョブ処理装置。
【請求項５】
前記第１ジョブの履歴情報の消去を指示する消去指示手段と、
前記消去指示手段による指示に応答して、前記第１ジョブの履歴情報と関連する前記第２ジョブの履歴情報の消去を前記他のジョブ処理装置に指示する手段とを更に有することを特徴とする請求項１乃至４のいずれか１項に記載のジョブ処理装置。
【請求項６】
ネットワークを介して他のジョブ処理装置と接続可能なジョブ処理装置のジョブログの管理方法であって、
自装置及び前記他のジョブ処理装置を使用した第１及び第２ジョブを含む連携ジョブの実行が指示されると、前記自装置で実施する第１ジョブを実行し、実行した前記第１ジョブの履歴情報を作成するジョブ実行工程と、
前記ジョブ実行工程で作成した前記第１ジョブの履歴情報を、当該第１ジョブの履歴情報を識別するための第１識別情報と関連付けてログデータベースに記録するジョブログ管理工程と、
前記他のジョブ処理装置を使用した前記第２ジョブの実行を、前記ネットワークを介して前記他のジョブ処理装置に指示する指示工程と、
前記他のジョブ処理装置で実行された前記第２ジョブの履歴情報を識別するための第２識別情報を、前記ネットワークを介して受信する受信工程とを有し、
前記ジョブログ管理工程は、前記第１識別情報、前記受信工程で受信した前記第２識別情報、及び前記第１ジョブの履歴情報を関連付けて前記ログデータベースに記録することを特徴とするジョブ処理装置のジョブログの管理方法。
【請求項７】
前記指示工程は、前記第２ジョブの実行の指示の際、前記ネットワークを介して前記他のジョブ処理装置に前記第１識別情報を通知することを特徴とする請求項６に記載のジョブ処理装置のジョブログの管理方法。
【請求項８】
前記ジョブログ管理工程は、前記第２識別情報に基づいて、前記第２ジョブの履歴情報に関連した前記第１ジョブの履歴情報を検索することを特徴とする請求項６または７に記載のジョブ処理装置のジョブログの管理方法。
【請求項９】
前記第１ジョブの履歴情報と、前記第１ジョブの履歴情報と関連する前記第２ジョブの履歴情報とを１つのジョブ履歴として表示する表示制御工程を更に有することを特徴とする請求項６乃至８のいずれか１項に記載のジョブ処理装置のジョブログの管理方法。
【請求項１０】
前記第１ジョブの履歴情報の消去を指示する消去指示工程と、
前記消去指示工程による指示に応答して、前記第１ジョブの履歴情報と関連する前記第２ジョブの履歴情報の消去を前記他のジョブ処理装置に指示する工程とを更に有することを特徴とする請求項６乃至９のいずれか１項に記載のジョブ処理装置のジョブログの管理方法。
【請求項１１】
ネットワークを介して接続された複数のジョブ処理装置を有するジョブ履歴管理システムであって、
前記複数のジョブ処理装置のうちの第１のジョブ処理装置は、
前記第１のジョブ処理装置と他のジョブ処理装置である第２のジョブ処理装置とを使用した第１及び第２ジョブを含む連携ジョブの実行が指示されると、前記第１ジョブを実行し、実行した前記第１ジョブの履歴情報を作成するジョブ実行手段と、
前記ジョブ実行手段で作成した前記第１ジョブの履歴情報を、当該第１ジョブの履歴情報を識別するための第１識別情報と関連付けてログデータベースに記録するジョブログ管理手段と、
前記第２のジョブ処理装置を使用した前記第２ジョブの実行を、前記ネットワークを介して前記第２のジョブ処理装置に指示する指示手段と、
前記第２のジョブ処理装置で実行された第２ジョブの履歴情報を識別するための第２識別情報を、前記ネットワークを介して受信する受信手段とを有し、
前記第２のジョブ処理装置は、
前記指示手段による指示に応じて前記第２ジョブを実行し、実行した前記第２ジョブの履歴情報を作成する実行手段と、
前記実行手段で作成した前記第２ジョブの履歴情報を記録するログ管理手段と、
前記第２識別情報を前記第１のジョブ処理装置に送信する送信手段とを有し、
前記ジョブログ管理手段は、前記第１識別情報、前記受信手段で受信した前記第２識別情報、及び前記第１ジョブの履歴情報を関連付けて前記ログデータベースに記録することを特徴とするジョブ履歴管理システム。
【請求項１２】
請求項６乃至１０のいずれか１項に記載のジョブログの管理方法の各工程をコンピュータに実行させるためのコンピュータプログラム。
【手続補正２】
【補正対象書類名】明細書
【補正対象項目名】０００２
【補正方法】変更
【補正の内容】
【０００２】
プリンタ、ファクシミリ、スキャナ等の機能を有するデジタル複合機（ＭＦＰ）は近年急速に普及している。これらデジタル複合機には多様な機種が存在しており、互いに機能が異なる複数のデジタル複合機をオフィスに設置可能である。
【手続補正３】
【補正対象書類名】明細書
【補正対象項目名】０００８
【補正方法】変更
【補正の内容】
【０００８】
上記目的を達成するために本発明の一態様に係るジョブ処理装置は以下のような構成を備える。即ち、
ネットワークを介して他のジョブ処理装置と接続可能なジョブ処理装置であって、
自装置及び前記他のジョブ処理装置を使用した第１及び第２ジョブを含む連携ジョブの実行が指示されると、前記自装置で実施する第１ジョブを実行し、実行した前記第１ジョブの履歴情報を作成するジョブ実行手段と、
前記ジョブ実行手段で作成した前記第１ジョブの履歴情報を、当該第１ジョブの履歴情報を識別するための第１識別情報と関連付けてジョブログ記録手段に記録するジョブログ管理手段と、
前記他のジョブ処理装置を使用した前記第２ジョブの実行を、前記ネットワークを介して前記他のジョブ処理装置に指示する指示手段と、
前記他のジョブ処理装置で実行された前記第２ジョブの履歴情報を識別するための第２識別情報を、前記ネットワークを介して受信する受信手段とを有し、
前記ジョブログ管理手段は、前記第１識別情報、前記受信手段で受信した前記第２識別情報、及び前記第１ジョブの履歴情報を関連付けて前記ジョブログ記録手段に記録することを特徴とする。
【手続補正４】
【補正対象書類名】明細書
【補正対象項目名】０００９
【補正方法】変更
【補正の内容】
【０００９】
上記目的を達成するために本発明の一態様に係るジョブ処理装置のジョブログの管理方法は以下のような工程を備える。即ち、
ネットワークを介して他のジョブ処理装置と接続可能なジョブ処理装置のジョブログの管理方法であって、
自装置及び前記他のジョブ処理装置を使用した第１及び第２ジョブを含む連携ジョブの実行が指示されると、前記自装置で実施する第１ジョブを実行し、実行した前記第１ジョブの履歴情報を作成するジョブ実行工程と、
前記ジョブ実行工程で作成した前記第１ジョブの履歴情報を、当該第１ジョブの履歴情報を識別するための第１識別情報と関連付けてログデータベースに記録するジョブログ管理工程と、
前記他のジョブ処理装置を使用した前記第２ジョブの実行を、前記ネットワークを介して前記他のジョブ処理装置に指示する指示工程と、
前記他のジョブ処理装置で実行された前記第２ジョブの履歴情報を識別するための第２識別情報を、前記ネットワークを介して受信する受信工程とを有し、
前記ジョブログ管理工程は、前記第１識別情報、前記受信工程で受信した前記第２識別情報、及び前記第１ジョブの履歴情報を関連付けて前記ログデータベースに記録することを特徴とする。